(57)【要約】      （修正有）【課題】可視の状態では第１の網点領域の網点画像が認識され、第２の網点領域の網点画像が隠蔽されていることを認識するのは困難な偽造防止印刷物を提供する。【解決手段】基材上に、２種類の網点領域Ｐ１、Ｐ２により連続階調の可視画像及び不可視画像を形成した印刷物であって、第１の網点領域Ｐ１が複数配置されて連続階調の可視画像を形成し、第２の網点領域Ｐ２は、第１の網点領域内に重ねて印刷されて連続階調の不可視画像を形成し、第１の網点領域Ｐ１は赤外線吸収色素を含まない有色インキで印刷され、第２の網点領域Ｐ２は金属粉を含むインキ又は金属箔を含む転写シートで印刷されたことを特徴とする偽造防止用印刷物。【選択図】図１
2008132601.tif 000002
【特許請求の範囲】
【請求項１】
基材上に、２種類の網点領域により連続階調の可視画像及び不可視画像を形成した印刷物であって、第１の網点領域が複数配置されて前記連続階調の可視画像を形成し、第２の網点領域は、前記第１の網点領域内に重ねて印刷されて前記連続階調の不可視画像を形成し、前記第１の網点領域は赤外線吸収色素を含まない有色インキで印刷され、前記第２の網点領域は金属粉を含むインキ又は金属箔を含む転写シートで印刷されたことを特徴とする偽造防止用印刷物。
【請求項２】
前記第２の網点領域は、前記第１の網点領域内に設定した一定の網点径よりも小さいことを特徴とする請求項１記載の偽造防止用印刷物。
【請求項３】
前記第１の網点領域の網点が、赤外線吸収性色素を含まないシアン（Ｃ）、マゼンタ（Ｍ）、イエロー（Ｙ）の重ね合わせ又はいずれかの色であることを特徴とする請求項１又は２の偽造防止用印刷物。
【請求項４】
前記第２の網点領域に、赤外線吸収性色素を含まない無色透明マット層あるいは白インキを重ねて印刷していることを特徴とする請求項１乃至３記載の偽造防止用印刷物。
【発明の詳細な説明】
【技術分野】
【０００１】
本発明は、紙幣、パスポート、有価証券及びカード等の偽造防止及び改ざん防止機能が必要とされる貴重印刷物に利用されるものである。
【背景技術】
【０００２】
近年、カラー複写機の高画質化及びカラー製版技術のコンピュータ化に伴い、紙幣や有価証券類の偽造手段が多様化する傾向にある。特に、印刷産業分野で使用される画像入出力機器の解像度が著しく向上し、有価証券類に使用されている細線や微小文字の抽出が容易になってきた。このことは、単に４色の網点構成から成る一般商業印刷法による偽造だけではなく、現在の有価証券の多くに採用されている地紋、彩紋及びレリーフ模様等、白黒２値で構成されたものが、スキャナ等の入出力機器により、高精度に抽出でき、特色版を多用したものより本格的な偽造券が増えてきた。
【０００３】
そこで近年の偽造に対応すべく、本出願人が先に出願した特開２００３−１３６８２８では、２種類の網点画像を同一平面上に均等配置する場合において、一般の商業印刷で使用されている赤外線吸収性色素を含まないシアン（Ｃ）、マゼンタ（Ｍ）及びイエロー（Ｙ）と、赤外線吸収性色素を含むブラック（Ｂｋ）の基本４色インキを用いて、可視及び不可視画像を生成し、現在の写真製版装置では複製が不可能であり、特殊鑑定装置等を用いない限り画像を認識することができない不可視画像を安価に印刷する網点印刷物及びその印刷方法を提供した。（例えば、特許文献１）
【０００４】
しかし、特開２００３−１３６８２８では、赤外線吸収性色素を含むブラック（Ｂｋ）が有効に作用しながらも、ブラック（Ｂｋ）という低明度（高濃度）の印刷色が印刷面のデザインに大きく影響している。すなわち、赤外線カメラ等で印刷面を観察する際に、ブラック（Ｂｋ）によって施されている不可視画像の鮮明化を図ると、必然的にブラック（Ｂｋ）に用いる網点の最大面積率が大きくなり、肉眼で観察する可視画像が全体的に黒ずんだ状態になるという問題もある。
【０００５】
【特許文献１】特開２００３−１３６８２８
【発明の開示】
【発明が解決しようとする課題】
【０００６】
上記の問題にかんがみ、赤外線吸収性色素を含みつつも可視光線下で高明度（低濃度）かつ、赤外線下では低明度（高濃度）となる印刷面を構築することが求められている。
【０００７】
すなわち、２種類の領域から成る網点画像を備えた印刷物において、金属紛を含むインキ又は金属箔を含む転写シートで印刷された第２の網点領域の網点画像の上に、赤外線吸収性色素を含まない有色インキで印刷することによって、可視の状態では第１の網点領域の網点画像が認識され、第２の網点領域の網点画像が隠蔽されていることを認識するのは困難な印刷物を得ることを目的とする。
【０００８】
また、該印刷物を赤外線下で観察すると、第１の網点領域の網点画像は認識できず、第２の網点領域の網点画像を認識することができる。また、金属紛を含むインキ又は金属箔を含む転写シートを用いていることから、印刷物をＸ線等の電子線照射によっても第２の網点領域の網点画像を確認することを目的とする。
【０００９】
さらに、赤外線吸収性色素を含まない有色インキの印刷部と、金属紛を含むインキ又は金属箔を含む転写シートの印刷部を少なくとも備え、金属紛を含むインキ又は金属箔を含む転写シートの次に印刷する赤外線吸収性色素を含まない有色インキの色を任意に選択できるのを目的とする。
【課題を解決するための手段】
【００１０】
本発明は、基材上に、２種類の網点領域により連続階調の可視画像及び不可視画像を形成した印刷物であって、第１の網点領域が複数配置されて連続階調の可視画像を形成し、第２の網点領域は、第１の網点領域内に重ねて印刷されて連続階調の不可視画像を形成し、第１の網点領域は赤外線吸収色素を含まない有色インキで印刷され、第２の網点領域は金属粉を含むインキ又は金属箔を含む転写シートで印刷されたことを特徴とする偽造防止用印刷物である。
【００１１】
本発明は、第２の網点領域は、第１の網点領域内に設定した一定の網点径よりも小さいことを特徴とする偽造防止用印刷物である。
【００１２】
本発明は、第１の網点領域の網点が、赤外線吸収性色素を含まないシアン（Ｃ）、マゼンタ（Ｍ）、イエロー（Ｙ）の重ね合わせ、又はいずれかの色であることを特徴とする偽造防止用印刷物である。
【００１３】
本発明は、第２の網点領域に、赤外線吸収性色素を含まない無色透明マット層あるいは白インキを重ねて印刷していることを特徴とする偽造防止用印刷物。
【発明の効果】
【００１４】
２種類の領域から成る網点画像を備えた印刷物において、金属紛を含むインキ又は金属箔を含む転写シートで印刷された第２の網点領域の網点画像の上に、赤外線吸収性色素を含まない有色インキで印刷することによって、可視の状態では第１の網点領域の網点画像が認識され、第２の網点領域の網点画像が隠蔽されていることを認識するのは困難な印刷物を得ることができる。
【００１５】
また、該印刷物を赤外線下で観察すると、第１の網点領域の網点画像は認識できず、第２の網点領域の網点画像を認識することができる。また、金属紛を含むインキ又は金属箔を含む転写シートを用いていることから、印刷物をＸ線等の電子線照射によっても第２の網点領域の網点画像を確認することができる。
【発明を実施するための最良の形態】
【００１６】
本発明を実施するための最良の形態は、図面を用いて説明する。しかし、本発明は、以下に述べる実施するための最良の形態に限定されるものではなく、特許請求の範囲記載における技術的思想の範囲内であれば、その他のいろいろな実施の形態が含まれる。
【００１７】
金属紛を含むインキ又は金属箔を含む転写シート（以下「金属インキ」という。）は、可視光でも、赤外光でも観察できることから、赤外線吸収性色素を含まない有色インキを可視光観察できる可視画像とし、金属インキを赤外光でのみ観察できる不可視画像とすることができる。
【００１８】
（実施形態１）
図１は、本発明の網点構成を示したものである。網点画像Ｐ１は網点１によって連続諧調の可視画像が表現されたものであり、赤外線吸収性色素を含まないブラック（Ｂｋ）、又は赤外線吸収性色素を含まないシアン（Ｃ）、マゼンタ（Ｍ）及びイエロー（Ｙ）の３色を重ねた網点、又は明度の低く赤外線吸収性色素を含まない単色の特色で印刷されている。網点画像Ｐ２は、網点２によって連続諧調の不可視画像が表現されたものであり、金属インキで印刷されている。
【００１９】
網点１は、網点２の上に重ねて印刷されている。すなわち、２種類の網点でありながら一見して１種類の網点に見える。網点１は、１〜１００％の連続階調を成す画線面積率による網点で構成されている。網点２は、網点１とそれぞれに重なる位置における網点１の網点径を最大サイズとする網点で構成している。従って、網点２は網点１とそれぞれに重なる位置において、網点２が網点１のサイズを越えない範囲であれば良い。なお、網点画像Ｐ１の網点１が赤外線吸収性色素を含まないシアン（Ｃ）、マゼンタ（Ｍ）及びイエロー（Ｙ）である場合、明度の低いシアン（Ｃ）又はマゼンタ（Ｍ）を基準に網点２の最大サイズを設けるのが適当である。
【００２０】
この網点画像Ｐ１及び網点画像Ｐ２から成る印刷物を、可視光下で観察すると網点画像Ｐ１が見え、赤外線カメラで観察すると網点画像Ｐ２が見える。
【００２１】
（実施形態２）
図２は、前述した実施形態１と同様に、一見して１種類の網点に見える構成を示したものである。網点画像Ｐ１’は網点１’によって連続諧調の可視画像が表現されたものであり、赤外線吸収性色素を含まないブラック（Ｂｋ）、又は赤外線吸収性色素を含まないシアン（Ｃ）、マゼンタ（Ｍ）及びイエロー（Ｙ）の３色を重ねた網点、又は明度の低く赤外線吸収性色素を含まない単色の特色で印刷されている。網点画像Ｐ２’は、網点２’によって連続諧調の不可視画像が表現されたものであり、金属インキで印刷されている。
【００２２】
網点１’は、網点２’の上に重ねて印刷されている。すなわち、２種類の網点でありながら一見して１種類の網点に見える。網点画像Ｐ１’の連続諧調と網点画像Ｐ２’の連続諧調のそれぞれの階調表現域は、網点径３によって定義される。網点１’は、網点径３を最小サイズとする網点からベタで構成される。網点２’は、画線面積率１％の網点から網点径３を最大とする網点で構成される。これにより、網点２’が網点１’のサイズを越えることはない。なお、網点画像Ｐ１’の網点１’が赤外線吸収性色素を含まないシアン（Ｃ）、マゼンタ（Ｍ）及びイエロー（Ｙ）である場合、網点径３の定義は明度の低いシアン（Ｃ）又はマゼンタ（Ｍ）に用いられる網点の最小サイズとするのが適当である。
【００２３】
この網点画像Ｐ１’及び網点画像Ｐ２’から成る印刷物を、可視光下で観察すると網点画像Ｐ１’が見え、赤外線カメラで観察すると網点画像Ｐ２’が見える。
【実施例】
【００２４】
以下、実施例を用いて本発明を更に詳細に説明するが、本発明の内容は、これらの実施例の範囲に限定されるものではない。
【００２５】
（実施例１）
図３に、本発明の偽造防止用印刷物ａを示す。偽造防止用印刷物ａには、網点画像Ｐ１が施されている。なお、本実施例では、網点画像Ｐ１は偽造防止用印刷物ａの一部に施されているが、基材上の全部に網点画像Ｐ１が施されていても良い。網点画像を構成している要素は、図１に示す構成であり、その中の網点２を金属箔を含む転写シートを用いて図３に示すような階調を伴う不可視の網点画像Ｐ２を構成している。
【００２６】
偽造防止用印刷物ａを作製するための印刷方式を以下に説明する。本実施例１では、図４に示す構成の印刷装置を用いて印刷を行った。該印刷装置とその印刷方法について図を用いて詳細に説明する。
【００２７】
金属インキを備えたプリンタ又はオンデマンド印刷機のようなカラー印刷装置において、使用されるブラック（Ｂｋ）インキが染料等の赤外線吸収性色素を含まないものであった場合、金属インキとブラック（Ｂｋ）を重ねて印刷することによって、特開２００３−１３６８２８の網点印刷物と同じ効果を得ることができる。
【００２８】
図４に示すように、本発明のカラー印刷装置４は、シアン（Ｃ）印刷部５、マゼンタ（Ｍ）印刷部６、イエロー（Ｙ）印刷部７、ブラック（Ｂｋ）印刷部８及び金属インキ印刷部９の５色から成る印刷部と、給紙部１０、搬送部１１、排紙部１２と、網点画像Ｐ１と網点画像Ｐ２を印刷部に供給するプロセッサ部１３と、網点画像Ｐ１と網点画像Ｐ２を記憶する記憶部１４と、各印刷部にて印刷する刷り順を操作する操作部１５とを備えている。
【００２９】
給紙部１０は、カラー印刷装置４に紙等の印刷媒体を給紙し、指定された印刷部に送る。
【００３０】
シアン（Ｃ）印刷部５、マゼンタ（Ｍ）印刷部６、イエロー（Ｙ）印刷部７、ブラック（Ｂｋ）印刷部８及び金属インキ印刷部９の５色から成る各印刷部は、プロセッサ部１３の制御命令に従って給紙部１０から送られてきた印刷媒体に印刷する。
【００３１】
プロセッサ部１３は、記憶部１４から網点画像Ｐ１並びに網点画像Ｐ２の印刷用画像データから呼び出し、各印刷部に供給する。また、必要に応じて使用する印刷部とその組み合せ及び印刷順を制御する。
【００３２】
搬送部１１は、プロセッサ部１３の制御命令に従って印刷媒体を各印刷部中に搬送させる。
【００３３】
排紙部１２は、網点画像Ｐ１並びに網点画像Ｐ２が印刷された印刷媒体を、カラー印刷装置４から排紙する。
【００３４】
記憶部１４は、各印刷部に供給するための網点画像Ｐ並びに網点画像Ｐ２を格納する。
【００３５】
操作部１５は、各印刷部の刷り順を選択するための操作を手入力で行う。
【００３６】
次に、本発明の網点印刷物を印刷する方法を説明する。図５は本発明の網点印刷物を印刷する方法の基本的なフローを示したものである。
【００３７】
まずステップｆ１では、プロセッサ部１３が記憶部１４に格納されている網点画像Ｐ１’データを呼び出し、印刷部に供給を行う。併せてステップｆ２では、プロセッサ部１３が記憶部１４に格納されている網点画像Ｐ２データ呼び出し、印刷部に供給を行う。
【００３８】
次にステップｆ３では、金属インキ印刷部９が網点画像Ｐ２における金属インキ画像印刷を行う。
【００３９】
次にステップｆ４では、刷り順の選択を行う。操作部１５によって金属インキの次に印刷する色を任意に選択できるものである。例えば、本実施例１では、シアン（Ｃ）、マゼンタ（Ｍ）及びイエロー（Ｙ）の記載順に印刷した後に金属インキを印刷し、更にその後にブラック（Ｂｋ）を印刷している。
【００４０】
ステップｆ５はシアン（Ｃ）画像印刷、ステップｆ６はマゼンタ（Ｍ）画像印刷、ステップｆ７はイエロー（Ｙ）画像印刷、ステップｆ８はブラック（Ｂｋ）画像印刷を行う。
【００４１】
以上のようにして本実施例１により得られる印刷物は、可視の状態では網点画像Ｐ１が認識され、網点画像Ｐ２が隠蔽されていることを認識するのは困難な印刷物を得ることができる。この印刷物を赤外線下で観察すると潜像として網点画像Ｐ１の階調画像を認識することができる。なお、第１の網点領域と第２の網点領域の構成は、図１並びに図２に示す構成に限るものではない。また、第２の網点領域の金属インキに用いる材料は何ら限定するものではない。
【００４２】
（実施例２）
本発明の別の実施例である偽造防止用印刷物ｂを図６の断面図に示す。偽造防止用印刷物ｂは、基材上の全部に網点画像Ｐ１又はＰ１’が施されており、その構成は、図１又は図２に示す構成の通りで、網点１から成る階調を伴う可視の網点画像Ｐ１又はＰ１’と、網点２又は２’から成る金属箔を含む転写シートを用いて階調を伴う不可視の網点画像Ｐ２又はＰ２’を構成している。ただし、前述の実施例１とは構成が若干異なり、金属光沢を抑えるために、赤外線吸収色素を含まない無色透明マット層１６を網点２又は２’を網点２又は２’上に重ねて印刷している。
【００４３】
偽造防止用印刷物ｂを作製するための印刷方式は、前述の実施例１同様の印刷装置を用いて行った。作製された偽造防止用印刷物ｂを赤外線カメラにて観察した場合、金属箔を含む転写シートで印刷した不可視の網点画像Ｐ２はＰ２’のみが可視画像となって確認された。なお、本実施例２では、無色透明マット層を用いたが、代りに白インキ等、金属光沢を抑え、網点画Ｐ１に影響しない色彩のインキであっても良い。
【図面の簡単な説明】
【００４４】
【図１】本発明の網点領域の構成である実施形態１を説明した図。
【図２】本発明の網点領域の構成である実施形態２を説明した図。
【図３】実施例１を説明するための図。
【図４】本発明のカラー印刷装置の構成を示した図。
【図５】本発明の網点印刷物を印刷する方法の基本的なフローを示した図。
【図６】実施例２を説明するための図。
【符号の説明】
【００４５】
１            第１の網点領域の網点画像Ｐ１を構成する網点
１’            第１の網点領域の網点画像Ｐ１’を構成する網点
２            第２の網点領域の網点画像Ｐ２を構成する網点
２’            第２の網点領域の網点画像Ｐ２’を構成する網点
３            網点径
４            カラー印刷装置
５            シアン（Ｃ）印刷部
６            マゼンタ（Ｍ）印刷部
７            イエロー（Ｙ）印刷部
８            ブラック（Ｂｋ）印刷部
９            金属紛を含むインキ又は金属箔を含む転写シート印刷部
１０            給紙部
１１            搬送部
１２            排紙部
１３            プロセッサ部
１４            記憶部
１５            操作部
１６            無色透明マット層
ａ            偽造防止印刷物
ａ’            偽造防止印刷物
ｂ            偽造防止印刷物
ｂ’            偽造防止印刷物
Ｐ１            網点画像
Ｐ１’            網点画像
Ｐ２            網点画像
Ｐ２’            網点画像
ｑ３            図形
ｑ４            図形
【図１】
2008132601.tif 000003
【図２】
2008132601.tif 000004
【図３】
2008132601.tif 000005
【図４】
2008132601.tif 000006
【図５】
2008132601.tif 000007
【図６】
2008132601.tif 000008